(57)【要約】【課題】  間違いがなく、効率的に合紙挿入の設定ができ、更にジョブ間或いはＯＨＰシート間に挿入する合紙に白紙を用いてもジャムや分離不良を発生せず、カブリのない合紙の挿入を可能とした画像形成装置及び制御方法の提供。【解決手段】  転写手段と、分離手段と、シートを収容する複数の給紙手段と、シートの搬送手段と、前記給紙手段に収容されたシートの情報を表示する表示手段と、シートを給紙する給紙手段を選択する操作手段と、を有する画像形成装置において、前記給紙手段に収容されたシートの情報、を前記表示手段に表示し、表示内容に基づいて選択された合紙とするシートを収容する給紙手段から、合紙とするシートを給紙し、合紙とするシートの画像形成時には、予め記憶された合紙とするシートの画像形成条件により画像形成を行うことを特徴とする画像形成装置。【選択図】        図１
2005106921.tif 000002
【特許請求の範囲】
【請求項１】
感光体上に形成されたトナー像をシートに転写する転写手段と、シートを感光体から分離する分離手段と、シートを収容する複数の給紙手段と、前記感光体と前記転写手段との対向部を通過するシートを搬送する搬送手段と、前記給紙手段に収容されたシートの情報を表示する表示手段と、シートを給紙する給紙手段を選択する操作手段と、を有する画像形成装置において、
前記給紙手段に収容されたシートの情報、を前記表示手段に表示し、
表示内容に基づいて選択された合紙とするシートを収容する給紙手段から、合紙とするシートを給紙し、
合紙とするシートの画像形成時には、予め記憶された合紙とするシートの画像形成条件により画像形成を行うことを特徴とする画像形成装置。
【請求項２】
前記合紙とするシートの画像形成条件は白紙の画像を形成する画像形成条件であることを特徴とする請求項１に記載の画像形成装置。
【請求項３】
前記給紙手段に収容されたシートの情報は、合紙とするシートがどの給紙手段に収容されているかの情報を含み、
合紙とするシートの画像形成条件は、少なくとも転写条件、分離条件、シートの搬送速度条件のいずれか１つを含み、且つシートに画像を形成する場合に比較し、転写電流値を低く、及び／又は、分離電流値を高く、及び／又は、搬送速度を遅くすることを特徴とする請求項２に記載の画像形成装置。
【請求項４】
転写を補助する転写補助装置の、前記合紙とするシートの画像形成条件は、シートに画像形成を行う場合に比較し、露光量を高くすることを特徴とする請求項３に記載の画像形成装置。
【請求項５】
前記分離手段の、前記合紙とするシートの画像形成条件は、シートに画像形成を行う場合に比較し、感光体に対する分離手段の当接圧を高くすることを特徴とする請求項３または４に記載の画像形成装置。
【請求項６】
白紙データによる合紙の画像形成、及び少なくとも１以上の画像データによるシートの画像形成を、それぞれ１のジョブとして捉え、
少なくとも１以上のシートの画像データと合紙の白紙データとを交互に結合し、交互に結合されたデータに基づき、合紙に白紙の画像形成を行うジョブとシートに少なくとも１以上の画像形成を行うジョブとを連続して一括に実行し、
前記合紙に白紙の画像形成を行うジョブは少なくとも転写条件、分離条件、シートの搬送速度条件のいずれか１つを変更して画像形成を行わせることを特徴とする画像形成装置の制御方法。
【請求項７】
前記合紙に画像形成を行うジョブは、シートに画像を形成する場合に比較し、転写電流値を低く、及び／又は、分離電流値を高く、及び／又は、搬送速度を遅く設定することを特徴とする請求項６に記載の画像形成装置の制御方法。
【請求項８】
感光体上に形成されたトナー像を少なくともＯＨＰシートに転写する転写手段と、転写を補助する転写補助装置と、ＯＨＰシート及び合紙とする記録紙を感光体から分離する分離手段と、ＯＨＰシート及び合紙とする記録紙を収容する複数の給紙手段と
、前記給紙手段から給紙されたＯＨＰシート及び合紙とする記録紙を搬送する搬送手段と、前記給紙手段に収容されたＯＨＰシート及び合紙とする記録紙の情報を表示する表示手段と、ＯＨＰシート及び合紙とする記録紙を給紙する給紙手段を選択する操作手段と、
を有する画像形成装置において、
前記合紙とする記録紙の画像形成条件は、白紙の画像形成を行う画像形成条件で少なくとも転写条件、分離条件、シートの搬送速度条件、転写補助条件のいずれか１つを含み、且つ記録紙に画像を形成する場合に比較し、転写電流値を低く、及び／又は、分離電流値を高く、及び／又は、感光体に対する分離手段の当接圧を高く、及び／又は、搬送速度を遅く、及び／又は、転写補助装置の露光量を高く、設定することを特徴とする画像形成装置。
【請求項９】
白紙データによる合紙の画像形成、及びＯＨＰシート１枚毎の画像形成とを、それぞれ１のジョブとして捉え、
ＯＨＰシート１枚毎の画像データと前記合紙への白紙データとを交互に結合し、交互に結合されたデータに基づき、合紙に画像形成を行うジョブとＯＨＰシート１枚毎に画像形成を行うジョブとを連続して一括に実行し、
前記合紙に白紙の画像形成を行うジョブは少なくとも転写条件、分離条件、シートの搬送速度条件のいずれか１つを変更して画像形成を行わせることを特徴とする画像形成装置の制御方法。
【請求項１０】
前記合紙に画像形成を行うジョブは、記録紙に画像を形成する場合に比較し、転写電流値を低く、及び／又は、分離電流値を高く、及び／又は、搬送速度を遅く設定することを特徴とする請求項９に記載の画像形成装置の制御方法。
【請求項１１】
ＯＨＰシートに対する画像データによるＯＨＰシートの画像形成と合紙に対する白紙データによる合紙の画像形成とをそれぞれ１のジョブとして捉え、
ＯＨＰシートへの画像データの各頁毎の画像データ間に前記合紙への白紙データを割り込ませるようにして、ＯＨＰシートへの画像データと合紙への白紙データとを交互に結合し、
交互に結合されたデータに基づき、ＯＨＰシート各頁の画像形成間に合紙の画像形成を行うジョブを連続して一括に実行し、
前記合紙に画像形成を行うジョブは、少なくとも転写条件、分離条件、シートの搬送速度条件のいずれか１つを変更して画像形成を行わせ、
合紙に白紙の画像形成を行うジョブは、記録紙に画像を形成する場合に比較し、転写電流値を低く、及び／又は、分離電流値を低く、及び／又は、搬送速度を遅く設定することを特徴とする画像形成装置の制御方法。
【発明の詳細な説明】
【技術分野】
【０００１】
本発明は、画像形成装置に関し、特に合紙に関するものである。
【背景技術】
【０００２】
従来、画像形成装置の排紙トレイ上に排出・収容されたシートの所定の位置に合紙を挿入し、排出されたシートの分類を容易に行うことができるようにするため、合紙を挿入する頁を入力することにより収容されたシートの所定の位置に合紙を挿入するインターシートモードを備えた画像形成装置が提案されてきた（例えば、特許文献１及び２参照。）。
【０００３】
また、合紙に白紙を用いた場合に、白紙におけるシートの分離手段での分離性を高めるため、転写時に転写電圧を印加しない画像形成装置が提案された（例えば、特許文献３参照。）。
【特許文献１】特開昭５９−１９０１３９号公報（３頁  左下４〜１６行目）
【特許文献２】特開昭６４−３４８５６号公報（４頁  左上６〜１６行目）
【特許文献３】特開２０００−１０５５２７号公報（請求項１、２、３、４、６）
【発明の開示】
【発明が解決しようとする課題】
【０００４】
しかし、特許文献１或いは２に記載されたインターシートモードでは、合紙を挿入させる頁を予め入力する必要があり、多数頁の原稿が複数有り、その原稿のそれぞれを複数部印刷したい時には、多数頁の原稿のページ数を計算して合紙を挿入する頁を入力する必要があり、その作業が繁雑で時間も掛かり、更に計算間違い等による入力ミスがあると、間違った位置に合紙が挿入されてしまうといった欠点があった。
【０００５】
更に、合紙として画像形成を行わないシート（以下白紙とも記す）を使用する場合は感光体とシートの間にトナーが存在しないため感光体とシートとの密着力が強く、感光体からシートを分離し難く、分離不良やジャムが発生しやすいといった欠点があった。
【０００６】
また、ＯＨＰシート間に合紙として白紙を挿入する場合にも同様な欠点があった。
【０００７】
その対策としての特許文献３に記載された画像形成装置では、上述したように転写電流を印加しない技術が開示されているが、白紙の画像を形成するためには感光体へのトナー付着を防止するため感光体を帯電させシートに同極性のバイアス電圧を印加することが必要となる。
【０００８】
その際、正規の極性と逆極性に帯電しているトナーが感光体に付着することが避けられず、転写電圧を印加しない場合には紙と感光体との物理的な接触によりトナーが転写されやすく、白紙にカブリを生じさせやすいといった欠点があった。
【０００９】
本発明は上記欠点に鑑み、多数頁の複数の原稿をそれぞれ複数印刷する場合でも、間違いがなく、効率的に合紙挿入の設定ができ、更にジョブ間或いはＯＨＰシート間に挿入する合紙に白紙を用いても、ジャムや分離不良を発生せず、カブリのない合紙の挿入を可能とした画像形成装置及び制御方法の提供を目的とする。
【課題を解決するための手段】
【００１０】
本発明は、複数のジョブ間に白紙の合紙を挿入する際に、複数のジョブである画像データによる画像形成を行うジョブとジョブの間に挿入する白紙データによる合紙の画像形成も１つのジョブである、という考え方に基づいたもので、
これにより枚数という概念を排除できることに着目し、枚数の設定を行わずに、ジョブの設定を行うという概念で統一することにより枚数設定という間違いを起こすことなく、効率的に合紙挿入の設定ができると考え本発明に至ったので、以下に説明します。
【００１１】
（１）本発明は、ジョブ単位で画像形成情報を予約して、一括して出力する、所謂プログラムジョブを行わせようとするものであり、
（ａ）下記１）〜７）に記載の、例えば記録紙に画像形成を行う通常のジョブに対して各ジョブ間に合紙を挿入する場合は、
記録紙に画像形成を行う第１のジョブの画像形成を行い、次いで合紙である白紙の第２のジョブの画像形成を行い、次いで記録紙に画像形成を行う第３のジョブの画像形成を行い、次いで合紙である白紙の第４のジョブの画像形成を行い、第５、第６、・・・と繰り返していき、これにより各ジョブ間に合紙のジョブを挿入するものであります。
【００１２】
（ｂ）また、下記８）〜１０）に記載の、例えばＯＨＰシートに画像形成を行うジョブに対して各ＯＨＰシート間に合紙を挿入する場合は、
第１枚目のＯＨＰシートに画像形成を行う第１のジョブの画像形成を行い、次いで合紙である白紙の第２のジョブの画像形成を行い、次いで第２枚目のＯＨＰシートに画像形成を行う第３のジョブの画像形成を行い、次いで合紙である白紙の第４のジョブの画像形成を行い、次いで第３枚目のＯＨＰシートに画像形成を行う第５のジョブの画像形成を行い、次いで合紙である白紙の第６のジョブの画像形成を行い、第７、第８、・・・と繰り返していき、ＯＨＰ１枚毎に合紙を挿入するものであります。
【００１３】
（ｃ）また、下記８）、１１）に記載の、例えばＯＨＰシートに画像形成を行うジョブに対し各ＯＨＰシート間に合紙を挿入する場合は、
ＯＨＰシートに画像形成を行う第１のジョブの画像形成実行中の、１枚のＯＨＰシートの画像形成完了毎に、合紙である第２の白紙のジョブの画像形成を割り込ませ、記録紙に画像形成を行う第３のジョブの画像形成実行中の、１枚のＯＨＰシートの画像形成完了毎に、合紙である白紙の第４のジョブの画像形成を割り込ませ、第５、第６、・・・と繰り返していき、ＯＨＰ１枚毎に合紙を挿入するものであります。
【００１４】
（ｄ）そして、このような合紙の挿入のため、
記録紙への画像形成データや、ＯＨＰシートへの画像形成データや、合紙への白紙画像データによる画像形成をそれぞれ１つのジョブとして、
画像形成を行わせる順番を例えば、記録紙の画像形成ジョブ、合紙の白紙ジョブ、記録紙の画像形成ジョブ、合紙の白紙ジョブ、・・・といったように予め各ジョブを順番に予約し、記憶させ、記憶されたジョブの順番に応じて連続して（一括して）画像形成を行い、例えば記録紙の画像形成ジョブの境目に白紙の合紙を挿入しようとするものであります。
【００１５】
（ｅ）そして、このような予約を行い易くするため、
どのような種類のシートがどの給紙カセットに収容されているか（例えば、普通紙は第１カセット、合紙用シートは第２カセット、ＯＨＰシートは手差し給紙手段、等）を、例えば操作パネルの表示手段に表示させ、その表示に基づいて、例えば通常のジョブ間に合紙を挿入したい場合には、第１の通常のジョブは第１カセットから給紙させ、第２の合紙のジョブは第２カセットから給紙させ、第３の通常のジョブは第１カセットから給紙させ、第４の合紙のジョブは第２カセットから給紙させ、・・・といったように設定し、枚数を設定することなく容易にジョブ単位で予約設定を可能にするものであります。
【００１６】
（２）また、カブリ、ジャムの発生が転写電流、分離電流に関連していることに着目し、合紙を白紙画像とする場合、画像形成する記録紙に対する画像形成条件と異なった条件（例えば転写電流の軽減）で合紙の画像形成を行わせることにより、カブリ、ジャムの発生を防止できると考え、本発明に至ったものであります。
【００１７】
本発明の上記目的は下記の各構成要素により達成される。
【００１８】
１）感光体上に形成されたトナー像をシートに転写する転写手段と、シートを感光体から分離する分離手段と、シートを収容する複数の給紙手段と、前記感光体と前記転写手段との対向部を通過するシートを搬送する搬送手段と、前記給紙手段に収容されたシートの情報を表示する表示手段と、シートを給紙する給紙手段を選択する操作手段と、を有する画像形成装置において、
前記給紙手段に収容されたシートの情報、を前記表示手段に表示し、
表示内容に基づいて選択された合紙とするシートを収容する給紙手段から、合紙とするシートを給紙し、
合紙とするシートの画像形成時には、予め記憶された合紙とするシートの画像形成条件により画像形成を行うことを特徴とする画像形成装置。
【００１９】
２）前記合紙とするシートの画像形成条件は白紙の画像を形成する画像形成条件であることを特徴とする１）項に記載の画像形成装置。
【００２０】
３）前記給紙手段に収容されたシートの情報は、合紙とするシートがどの給紙手段に収容されているかの情報を含み、
合紙とするシートの画像形成条件は、少なくとも転写条件、分離条件、シートの搬送速度条件のいずれか１つを含み、且つシートに画像を形成する場合に比較し、転写電流値を低く、及び／又は、分離電流値を高く、及び／又は、搬送速度を遅くすることを特徴とする２）項に記載の画像形成装置。
【００２１】
４）転写を補助する転写補助装置の、前記合紙とするシートの画像形成条件は、シートに画像形成を行う場合に比較し、露光量を高くすることを特徴とする３）項に記載の画像形成装置。
【００２２】
５）前記分離手段の、前記合紙とするシートの画像形成条件は、シートに画像形成を行う場合に比較し、感光体に対する分離手段の当接圧を高くすることを特徴とする３）または４）項に記載の画像形成装置。
【００２３】
６）白紙データによる合紙の画像形成、及び少なくとも１以上の画像データによるシートの画像形成を、それぞれ１のジョブとして捉え、
少なくとも１以上のシートの画像データと合紙の白紙データとを交互に結合し、交互に結合されたデータに基づき、合紙に白紙の画像形成を行うジョブとシートに少なくとも１以上の画像形成を行うジョブとを連続して一括に実行し、
前記合紙に白紙の画像形成を行うジョブは少なくとも転写条件、分離条件、シートの搬送速度条件のいずれか１つを変更して画像形成を行わせることを特徴とする画像形成装置の制御方法。
【００２４】
７）前記合紙に画像形成を行うジョブは、シートに画像を形成する場合に比較し、転写電流値を低く、及び／又は、分離電流値を高く、及び／又は、搬送速度を遅く設定することを特徴とする６）項に記載の画像形成装置の制御方法。
【００２５】
８）感光体上に形成されたトナー像を少なくともＯＨＰシートに転写する転写手段と、転写を補助する転写補助装置と、ＯＨＰシート及び合紙とする記録紙を感光体から分離する分離手段と、ＯＨＰシート及び合紙とする記録紙を収容する複数の給紙手段と
、前記給紙手段から給紙されたＯＨＰシート及び合紙とする記録紙を搬送する搬送手段と、前記給紙手段に収容されたＯＨＰシート及び合紙とする記録紙の情報を表示する表示手段と、ＯＨＰシート及び合紙とする記録紙を給紙する給紙手段を選択する操作手段と、
を有する画像形成装置において、
前記合紙とする記録紙の画像形成条件は、白紙の画像形成を行う画像形成条件で少なくとも転写条件、分離条件、シートの搬送速度条件、転写補助条件のいずれか１つを含み、且つ記録紙に画像を形成する場合に比較し、転写電流値を低く、及び／又は、分離電流値を高く、及び／又は、感光体に対する分離手段の当接圧を高く、及び／又は、搬送速度を遅く、及び／又は、転写補助装置の露光量を高く、設定することを特徴とする画像形成装置。
【００２６】
９）白紙データによる合紙の画像形成、及びＯＨＰシート１枚毎の画像形成とを、それぞれ１のジョブとして捉え、
ＯＨＰシート１枚毎の画像データと前記合紙への白紙データとを交互に結合し、交互に結合されたデータに基づき、合紙に画像形成を行うジョブとＯＨＰシート１枚毎に画像形成を行うジョブとを連続して一括に実行し、
前記合紙に白紙の画像形成を行うジョブは少なくとも転写条件、分離条件、シートの搬送速度条件のいずれか１つを変更して画像形成を行わせることを特徴とする画像形成装置の制御方法。
【００２７】
１０）前記合紙に画像形成を行うジョブは、記録紙に画像を形成する場合に比較し、転写電流値を低く、及び／又は、分離電流値を高く、及び／又は、搬送速度を遅く設定することを特徴とする９）項に記載の画像形成装置の制御方法。
【００２８】
１１）ＯＨＰシートに対する画像データによるＯＨＰシートの画像形成と合紙に対する白紙データによる合紙の画像形成とをそれぞれ１のジョブとして捉え、
ＯＨＰシートへの画像データの各頁毎の画像データ間に前記合紙への白紙データを割り込ませるようにして、ＯＨＰシートへの画像データと合紙への白紙データとを交互に結合し、
交互に結合されたデータに基づき、ＯＨＰシート各頁の画像形成間に合紙の画像形成を行うジョブを連続して一括に実行し、
前記合紙に画像形成を行うジョブは、少なくとも転写条件、分離条件、シートの搬送速度条件のいずれか１つを変更して画像形成を行わせ、
合紙に白紙の画像形成を行うジョブは、記録紙に画像を形成する場合に比較し、転写電流値を低く、及び／又は、分離電流値を低く、及び／又は、搬送速度を遅く設定することを特徴とする画像形成装置の制御方法。
【発明の効果】
【００２９】
本発明によれば次のような効果を得ることが出来る。すなわち、
記録紙に複数のジョブを画像形成する場合に、ジョブ間に合紙を挿入する設定が、また、ＯＨＰシートにジョブを画像形成する場合に、ＯＨＰシート間に合紙を挿入する設定が、容易に、しかも間違いがなく、効率的にでき、更に合紙を白紙画像としてもジャムや分離不良を発生せず、カブリのない合紙の挿入を可能とした画像形成装置の提供を可能とする。
【発明を実施するための最良の形態】
【００３０】
以下に図面を参照して本発明について説明するが、本発明はこれに限定されるものではなく、本欄の説明は請求項の技術的範囲や用語の意義を限定されるものではない。
【００３１】
先ず始めに、本発明の画像形成装置の概要について説明する。
【００３２】
図１は画像形成装置の説明図である。
画像形成装置１の操作手段１０から各ジョブ毎に使用する記録紙と、ＯＨＰシート収容カセットと、合紙として使用する記録紙の収容カセットと等を設定後、画像形成装置１、自動原稿搬送手段２等の起動操作により、原稿給紙台２１上に載置された原稿Ｇが送り出しローラ２２の作動により一枚ずつ送り出され、レジストローラ２３により一旦停止されて先端が整えられた後、搬送ドラム２４に搬送され、ドラム面と一体に反時計方向に回転する過程で画像読取手段３により画像面の読取が行われ、しかる後略半周した位置においてドラム面より分岐し排紙台２５に排出される。
【００３３】
前記の画像読取手段３においては光源３１１とミラー３１２を備える第１ミラーユニット３１が前記の搬送ドラム２４の直下の位置で、通過する原稿Ｇを順次照明し、ミラー３２１とミラー３２２を備える第２ミラーユニット３２により原稿Ｇからの反射光を反射して、結像レンズ３３を介してライン状の撮像素子３４に導き結像させる。
【００３４】
また、画像読取手段３はプラテンガラス３５上に載置された原稿Ｇの画像情報を読み取ることも可能で、この場合、上述した第１ミラーユニットと第２ミラーユニットとが移動しながらプラテンガラス３５に載置された原稿Ｇの画像情報を読み取る。
【００３５】
光源３５１と、ミラー３５２と、ミラー３５３と、ミラー３５４とは、移動しながらプラテンガラス３５上に載置された原稿Ｇの画像情報を読み取る状態を示している。
【００３６】
画像読取手段３において読取られた原稿Ｇの画像情報は画像処理手段７３にて画像処理が行われデジタル画像データとして信号化され、ＣＰＵ等により構成された制御手段７１により各ジョブとデジタル画像データが対応づけられて一旦記憶手段７２に格納される。
【００３７】
ここで、記憶手段７２はＲＯＭ７２ＡとバッテリーバックアップされたＲＡＭ７２Ｂより構成され、全体を制御する制御プログラム及び消去すべきでないデータはＲＯＭ７２Ａに予め記憶され、後述する各種データ等はＲＡＭ７２Ｂに必要に応じ書き込み、読み出し、消去されている。
【００３８】
画像形成のスタートにより画像形成手段４が作動開始して前記のデジタル画像データが記憶手段７２よりジョブ番号順に呼び出されて画像書込手段４３に入力され、図示しないレーザ発光器から画像データに従って投射されたレーザビームがポリゴンミラー（符号なし）の回転作動により主走査方向にスキャンされ、帯電器４２により電位を付与された感光体ドラム４１上に原稿の画像データに応じた静電潜像を形成する。
【００３９】
前記の静電潜像は現像手段４４により反転現像されてトナー像とされる。
【００４０】
シートＰ４を収容する手差し給紙手段２６、またはシートＰ１〜Ｐ３を収容する給紙手段５の各給紙カセット５１、５２、５３の送り出しローラ５４、５５、５６、５７の何れかにより、画像形成されたジョブ番号に対応したシートＰ１〜Ｐ４の内いずれか（以下シートＰ１〜Ｐ４のいずれかを特に限定する必要がない場合はシートＰ１〜Ｐ４を単にシートＰと記す）が、搬送ローラ６１、６２で搬送され、タイミングローラ６３によりトナー像に同期して感光体ドラム４１の転写領域Ａに給送される。
【００４１】
前記トナー像は転写器４５により反対極性の電圧を印加されてシートＰに転写される。
【００４２】
ここで、転写補助手段４６により転写効率を増加させるために、シート背面をＬＥＤアレーで照射し感光体上の電荷を除電する。
【００４３】
転写処理後のシートＰは、除電器４７の作用により除電され、分離爪５０により感光体ドラム４１から分離し、定着手段４８に搬送され、加熱ローラ４８４と加圧ローラ４８５との圧着・加熱作用によりトナーが定着され、排紙トレイ５７に排出される。
【００４４】
又、感光体ドラム４１はシートＰを分離後クリーニング手段４９において残留トナーを除去されて次なる画像形成に向けての準備を完了する。
【００４５】
図２は転写手段と分離手段等に係るブロック図である。
【００４６】
以下、図１、２を参照してブロック図の説明を行う。
【００４７】
画像形成装置１の上面操作側に配設された操作手段１０は、出力部数等を入力するテンキー１０３、画像形成の起動を入力するスタートキー１０４、ジョブを予約する応用機能キー１０６、各種操作のリセットを行うクリアキー１０５、スイッチやデータを表示する液晶パネルよりなる表示手段１０２、表示手段１０２上に配設され表示されたスイッチ等をタッチすることにより当該情報を検知するタッチパネル１０１、により構成されている。
【００４８】
そして、各スイッチやタッチパネル、表示手段はＩ／Ｏインターフェース手段１０９を介し制御手段７１に接続されており、スイッチ等の操作情報が制御手段７１に入力され、制御手段７１からの各種画面表示指令により表示手段１０２は後述する画面を表示する。
【００４９】
各種負荷がＩ／Ｏインターフェース手段１０９を介し制御手段７１に接続されており、制御手段７１は記憶手段７２のＲＯＭ７２Ａに予め記憶されている制御プログラムを順次読み出し、前述した周知の電子写真プロセスによる画像形成と、後述する本発明に係る合紙を挿入する制御を行なわせ、ＲＡＭ７２Ｂに各種データ等の出し入れを行わさせる。
【００５０】
ここで、記憶手段７２には、各種シート情報として、各給紙カセット等に収容されているシートの種類、サイズ、坪量（単位面積当たりの質量）、表面処理内容等が、
画像形成変更条件情報として、転写手段の転写電流、転写補助手段の転写補助露光量、分離手段の分離電流（ＤＣ）、分離爪の分離当接圧力、転写領域Ａ部のシート搬送速度等情報と、各種シート情報と画像形成変更条件情報との組み合わせ情報等が、記憶されている。
【００５１】
５４０は送り出しローラ５４を駆動するモータ及びソレノイド等で構成される下降手段で、ドライバ５４１を介し制御手段７１によりＯＮ／ＯＦＦされ、ＯＮ時にシートＰ１を送り出す。
【００５２】
同様に２６０、５５０、５６０は送り出しローラ５７、５５、５６の下降手段で、ドライバ２６１、５５１、５６１を介し制御手段７１によりＯＮ／ＯＦＦされ、ＯＮ時にシートＰ４、Ｐ２、Ｐ３を送り出す。
【００５３】
４６０は、転写補助手段４６を構成する複数のＬＥＤよりなるダイオードアレイを駆動するＬＥＤ電源で、ドライバ４６１を介し制御手段７１によりダイオードアレイ光量を調整し除電（点灯）する。
【００５４】
４５０は転写手段の転写器４５の転写電極の出力電流値が可変の定電流電源で、制御手段７１から出力される指令情報に比例した出力電流を転写器４５に供給する。
【００５５】
４７０は分離手段の除電器４７の除電電極の電源で、出力電流値が可変のＡＣ定電流電源４７０Ａと、出力電流値が可変のＤＣ定電流電源４７０Ｂとを有し、該電源によるＤＣ電流にＡＣ電流が重畳された電流を出力し、制御手段７１から出力されるＡＣ用とＤＣ用の２系統の指令情報に比例した出力電流を除電器４７に供給する。
【００５６】
５００は分離爪５０の感光体４１に対する当接力を調整するソレノイド等で、ドライバ５０１を介して、制御手段７１から出力される指令情報に比例した当接力を発生する。
【００５７】
６００は搬送ローラ６１、６２、又タイミングローラ６３を回転駆動させるためのパルスモータで、モータコントローラ６０１を介して、制御手段７１から出力される指令情報に比例した回転速度を発生し転写領域Ａ近傍のシートＰを搬送させる。
【００５８】
４４０は現像手段４４を感光体４１に向けて前進後退手段させる駆動源で、ドライバ４４１を介し制御手段７１によりＯＮ／ＯＦＦされ、通常の画像形成を行う場合或いは白紙の画像形成を行う場合ＯＮとなり現像手段を前進させ現像を可能とする。
【００５９】
ここで、白紙の画像形成を行う場合はＯＦＦのままでも良い。
【００６０】
図３は操作手段の説明図である。
【００６１】
操作部１０はタッチパネル１０１と表示手段であるところの液晶表示パネル１０２（以下両者をまとめて単に表示手段１０２とも記す）、及び各種の操作スイッチ（画像形成や原稿読み取りの起動を入力するスタートキー１０４、数値を入力するテンキー１０３、ジョブを予約する応用機能キー１０６、各種操作のリセットを行うクリアキー１０５等）で構成され、前述したようにＩ／Ｏインターフェース手段１０９を介し制御手段７１に接続され、制御手段７１へのスイッチの操作情報等の入力、表示手段への画面の出力が行われる。
【００６２】
以下に画面に表示される表示画面の例を示すが、同様な機能を発揮する画面であれば説明の画面に限るものではない。
【００６３】
図４は電源投入時に表示手段に表示される、基本画面の説明図である。
【００６４】
図５は画像形成条件変更テーブルの説明図である。
【００６５】
画像形成変更テーブルは、画像形成を行う記録紙に対し、合紙として使用する記録紙の変更すべき画像形成条件を記したもので、画像形成変更条件として、転写電流、転写補助露光量、分離電流（ＤＣ）、分離当接圧力、転写領域Ａ部のシート搬送速度の変更すべき値のデータが記憶されている。
【００６６】
そして、各画像形成変更値は、通常の画像データに基づく画像記録を行う場合の画像形成条件を基準として、白紙の画像データに基づく画像記録を行う場合の画像形成条件がより大きな（高い）場合を正（＋）とし、小さな（低い）場合を負（−）としている。
【００６７】
図６は、各給紙カセット等に収容されているシートの情報を入力するカセット内容入力画面、兼、各給紙カセット等に収容されているシートの情報を表示するカセット内容表示画面の説明図である。
【００６８】
図７は応用画面の説明図である。
【００６９】
ＯＨＰ合紙スイッチ１００１、合紙スイッチ１００２、等が表示される。
【００７０】
図８はＯＨＰシート間に合紙を挿入するＯＨＰ合紙入力画面の説明図である。
【００７１】
「次へ」スイッチは、ＯＨＰ合紙入力画面が原稿が複数のためにジョブの数が多く複数頁にわたる場合、次頁に切り替えるスイッチ、「前へ」スイッチは前頁に切り替えるスイッチ、「カセット内容」スイッチは図６に図示するカセット内容表示画面を呼び出して表示させるスイッチ、「セット」スイッチは全ての情報を設定後、設定内容を制御手段７１に入力するスイッチである。
【００７２】
図９は記憶手段内に編成される給紙カセット画像形成条件テーブルの説明図である。
【００７３】
図１０、１１、１２はシートに合紙を挿入する画像形成装置の制御方法のフロー図である。
【００７４】
先ず、図１、２及び図１０、１１、１２を参照してＯＨＰシートに合紙を挿入する制御方法の説明を行う。
【００７５】
ステップ１  制御手段７１は、電源投入により図４に示す基本画面を表示手段１０２に表示させる。
【００７６】
そして、記憶手段７２のＲＯＭ７２Ａに予め記憶された図５に示す画像形成条件変更テーブルを読み出し、ステップ２に歩進する。
【００７７】
画像形成条件変更テーブルは、記録紙に通常の画像形成を行った場合に対して、合紙として記録紙に画像形成を行わない（白紙の画像データを画像形成する）場合の、合紙に画像品質異常や搬送異常等の発生をさせない画像形成変更条件（値）をテーブル化したものであり、予め画像形成条件を変化させながら画像形成試験を行い、記憶手段７２のＲＯＭ７２Ａに記憶させたものである。
【００７８】
図５では各項目全てを列挙し、各項目についてそれぞれ変更すべき値を記してあるが、上述した試験の結果、１項目を変化させるだけでも画像品質異常、搬送異常の防止に効果があるときは、少なくともその１項目のみ変更すべき数値を設定し、その他は０を設定する。
【００７９】
そして、変更する場合の画像形成変更条件（値）の設定範囲は、転写電流Ａ１は１０〜１５０μＡ、転写補助露光量Ｂ１は５〜１０μＷ、分離（ＤＣ）電流Ｃ１は１０〜１００μＡ、分離当接圧力Ｄ１は０．１〜１．０ｇｆ、シート搬送速度Ｅ１は５０〜２００ｍｍ／ｓの範囲内で変更することが好ましい。
【００８０】
そして、画像形成変更条件（値）を正（＋）とした場合は、例えば転写補助露光量はＢ１μＷ高く（例えば１０を２０に）することを、負（−）とした場合は、例えば分離電流（ＤＣ）はＣ１μＡ低く（例えば−１０を−２０に）、転写電流はＡ１μＡ低く（例えば２０を１０に）することを意味し、正負（高低）は図５の方向に設定することが好ましい。
【００８１】
例えば、転写電流を−５０μＡとし、分離電流（ＤＣ）を＋３０μＡとし、その他は０に設定するような設定が行われる。
【００８２】
ここで、画像形成条件変更テーブルは予めＲＡＭ７２Ｂに記憶させておいても良い。
【００８３】
また、使用する合紙の種類を複数（例えば厚い記録紙、薄い記録紙、色つき記録紙等）とし、複数の合紙の種類に応じた複数の画像形成条件の変更データを記憶させても良い。
【００８４】
また、画像形成を行う各種のシート（例えば厚い記録用紙、薄い記録用紙、光沢のある記録紙、ＯＨＰシート等）と各種の合紙（例えば厚い記録紙、薄い記録紙、色つき記録紙等）との組み合わせに対する画像品質、搬送異常等に発生がない合紙の画像形成変更条件をテーブル化したものでも良い。
【００８５】
また、別の方法として、上述したような画像形成変更条件のデータの記憶とせず、記録紙に画像形成を行わない（白紙の画像データを画像形成した）場合の、画像品質、搬送異常等に発生がない合紙の画像形成条件をテーブル化したものでも良い。
【００８６】
画像形成条件をテーブル化した場合は、後述するステップ６における画像形成変更条件に基づく画像形成条件の演算が不要となる。
【００８７】
ここで、画像形成条件変更テーブル、及び画像形成条件テーブルの内容の変更は、ＲＯＭを使用した場合はＲＯＭ７２Ａの交換、ＲＡＭを使用した場合は操作手段により画像形成条件の変更データを記憶した画像形成条件変更テーブルを読み出して通常のＲＡＭデータを変更する方法で、当該データを変更することが可能となっている。
【００８８】
ステップ２  制御手段７１は、各給紙カセット（５１、５２、５３）及び手差し給紙手段２６（以下各給紙カセット及び手差し給紙手段を含め給紙カセット等とも記す）に収容されているシートの内容の情報を入力させ（設定し）、入力された情報を記憶手段７２のＲＡＭ７２Ｂに記憶させステップ３に歩進する。
【００８９】
ここで、シートの内容の情報の入力（設定）は、例えば図６に図示したような、給紙カセット等に収容されているシートの情報を入力するカセット内容入力画面において、オペレータが各給紙カセットに収容したシートの内容の情報（以下単にシートの情報とも記す）を操作手段等により入力させることで可能となる。
【００９０】
具体的には例えば、図４の基本画面を表示中に操作手段１０の応用機能キー１０６を監視してＯＮを検知すると、基本画面を図７に図示した応用画面に切り替え、図７の応用画面に表示された「合紙」スイッチ１００２、または「ＯＨＰ合紙」スイッチ１００１がＯＮされることにより図６のカセット内容入力画面に切り替える。
【００９１】
これにより、オペレータが画像形成に先立って、給紙カセット等に収容されているシートの情報を予め入力することができ、入力されたカセット内容入力画面内容を記憶手段にカセット内容テーブルとして記憶させるようになっている。
【００９２】
例えば図６は、手差し給紙手段にはＡ４のＯＨＰシートを収容し、給紙カセット１、２には坪量６０ｇ／ｍ2、ノーマル表面の、Ａ４の薄い普通紙を収容していることを示している。
【００９３】
カセット内容の入力完了により画面は再び図７の応用画面に切り替わる。
【００９４】
ステップ３  制御装置７１は、図７の応用画面のＯＨＰ合紙スイッチ１００１、合紙スイッチ１００２、インターシートスイッチ等のいずれかが選択された場合、当該応用機能を設定（選択）し、ステップ４に歩進する。
【００９５】
ステップ４  制御装置７１は、読み込まれた応用機能がＯＨＰ合紙機能か否か判断してＯＨＰ合紙機能であれば（Ｙ）ステップ５に歩進し、否であれば（Ｎ）ステップ２３にジャンプする。
【００９６】
ステップ５  制御装置７１は、表示されたＯＨＰ合紙スイッチ１００１がＯＮされることにより図８のＯＨＰ合紙入力画面に切り替える。
【００９７】
そして１枚以上の原稿で構成された各ジョブに対応するＯＨＰシートと合紙とを、給紙カセット等のいずれから給紙させれば良いか、各ジョブで使用する給紙カセット等と画像データ等とを対応づけて設定させ、ステップ６に歩進する。
【００９８】
例えば、各ジョブで使用する給紙カセット等の設定は、表示手段に表示される図８に図示したようなＯＨＰ合紙入力画面により、各ジョブに対応する、給紙カセット等と、画像形成の必要性の有無と、当該ジョブのプリント部数とが入力され、入力された情報がＲＡＭ７２Ｂに記憶される。
【００９９】
ここで、各ＯＨＰシート間に挿入する合紙の画像形成も１つのジョブとして設定される。
【０１００】
そして、１枚のＯＨＰシートとＯＨＰシート間の１枚の合紙単位で、ＯＨＰシートを収容した給紙カセット等と合紙を収容した給紙カセット等とから交互に当該のシートが給紙されるように設定される。
【０１０１】
具体的には例えば図８において、
１）ジョブ番号１Ａに、第１Ａのジョブに対応するＯＨＰシート収容カセット（例えば一般には搬送距離が一番短くジャムの可能性の低い手差し給紙手段）がオペレータにより設定される。
【０１０２】
ａ、ジョブ番号１Ａのジョブをどの給紙カセットから給紙させるかを、使用カセット部の給紙カセット名（給紙カセット５１は１、５２は２、５３は３、手差し給紙手段は手差）をＯＮして設定させる（設定給紙カセットが反転表示となる）。
【０１０３】
ｂ、この設定において、給紙カセット等に収容されているシートの内容が不明な場合は、表示されている「カセット内容」スイッチがＯＮされると再度ＯＮされるまで、図６に図示するカセット内容表示画面が表示され、各給紙カセットに収容されているシートの内容を知ることができるようになっている。
【０１０４】
ｃ、次いで、ジョブ番号１Ａのジョブが画像形成を行うか否かが設定され、有の場合はジョブ番号１Ａのジョブの画像形成時に画像形成を行うことを可能とする。
【０１０５】
ｄ、次いでジョブ番号１Ａのジョブのプリント部数がテンキーから設定されることにより、ジョブ番号１Ａのジョブの画像形成時に所定部数の画像形成を行うことを可能となる。
【０１０６】
ｅ、以上の設定が完了し、右端の「設定」がＯＮされると、制御手段は「第１のジョブの原稿を読み込ませてください」といったメッセージを表示させる。
【０１０７】
オペレータは表示に従いジョブ番号１に対応する原稿をセットして通常の読み込み操作、又は「読み込み」スイッチにより読み込ませる。
【０１０８】
第１Ａのジョブの原稿（ＯＨＰに画像形成する原稿）を画像読み取り手段３により読み取らせると、読み取られた原稿画像データはＲＡＭ７２Ｂに記憶される。
【０１０９】
ｆ、そして制御手段は読み取られた原稿画像データの内第１頁目の画像データをジョブ番号１Ａのジョブの画像データとして設定する。
【０１１０】
２）次いで、ジョブ番号２Ａに、第１枚目と第２枚目のＯＨＰシート間に挿入する合紙の設定が行われる。
【０１１１】
ａ、ジョブ番号２Ａのジョブの合紙をどの給紙カセットから給紙させるかが、使用カセット部の給紙カセット名で設定される（当該給紙カセット名が反転表示となる）。
【０１１２】
即ち合紙とするシートが収容されている給紙カセットが設定される。
【０１１３】
ｂ、この設定において、給紙カセットに収容されているシートの内容が不明な場合は、表示されている「カセット内容」スイッチがＯＮされると再度ＯＮされるまで、図６に図示するカセット内容表示画面が表示され、給紙カセットに収容されているシートの内容を知ることができるようになっている。
【０１１４】
ｃ、通常は合紙は白紙の画像データが自動的に設定され、制御手段は白紙のデータをジョブ番号２Ａのジョブの画像データとして設定する。
【０１１５】
しかし、ジョブ番号２Ａのジョブ（合紙）が画像形成を行うか否かが「有」に設定されると、ジョブ番号２Ａのジョブ（合紙）の画像形成時に画像形成を行うことを可能とする。
【０１１６】
なお、画像形成を行わせる場合は、通常の画像形成を行う画像形成条件となる。
【０１１７】
ｄ、合紙の部数は、設定の内容にかかわらず各ＯＨＰシート間に１枚毎挿入されるように自動的に設定される。
【０１１８】
ｅ、以上の設定が完了し、右端の「設定」がＯＮされると、上述したように画像形成が「有」となっている場合はジョブ番号１の代わりに「合紙の原稿を読み込ませてください」といったメッセージを表示させる。
【０１１９】
ジョブ番号２Ａのジョブの原稿（合紙に画像形成する原稿）を画像読み取り手段３により読み取らせると、読み取られた原稿画像データはＲＡＭ７２Ｂに記憶される。
【０１２０】
ｆ、そして制御手段は読み取られた原稿画像データをジョブ番号２Ａのジョブの画像データとして設定する。
【０１２１】
３）制御手段はジョブ番号３Ａに、上述した１）ｅ項で、記憶されたジョブ番号１Ａのジョブの原稿の第２頁の内容を読み出してジョブ番号３Ａの画像データとして設定し、
更に、１）ａ項で設定した、ジョブ番号１Ａのジョブで使用する給紙カセット等をジョブ番号３のジョブで使用する給紙カセット等として設定する。
【０１２２】
４）制御手段はジョブ番号４Ａに、白紙のデータを設定する。
【０１２３】
しかし、上述した２）ｅ項で画像形成「有」に設定された場合は、ＲＡＭ７２Ｂに記憶された読み取られた合紙の原稿画像データを読み出してジョブ番号４Ａの画像データとして設定する。
【０１２４】
更に、２）ａ項で設定した、ジョブ番号２Ａのジョブで使用する給紙カセット等をジョブ番号４Ａのジョブで使用する給紙カセット等として設定する。
【０１２５】
５）以下同様にして例えば、図示しないが制御手段はジョブ番号５Ａに１）ｅ項で読み込んだ第１Ａのジョブの第３頁の内容を読み出してジョブ番号５Ａの画像データとして設定し、
更に、ジョブ番号１Ａのジョブで使用する給紙カセット等をジョブ番号５Ａのジョブで使用する給紙カセット等として設定する。
【０１２６】
また、制御手段はジョブ番号６Ａに、白紙のデータを設定する。
【０１２７】
しかし、画像形成「有」に設定された場合は、２）ｅ項でＲＡＭ７２Ｂに記憶された合紙の原稿画像データを読み出して第６のジョブの画像データとして設定する。
【０１２８】
更に、ジョブ番号２Ａのジョブで使用する給紙カセット等をジョブ番号６のジョブで使用する給紙カセット等として設定する。
【０１２９】
６）また、第２Ａ、第３Ａのジョブがある場合は新しいジョブ番号に応じ、順次上記の設定を繰り返すことで可能となる。
【０１３０】
ステップ６  各ジョブ番号に対する使用カセット等及び画像形成条件を編成する。
【０１３１】
このため例えば制御装置７１は、
ステップ１で記憶されている図５に示す画像形成条件変更テーブル情報（合紙に対する画像形成変更情報）と、ステップ２で記憶されている図６に示すカセット内容入力画面情報（各カセット等に対する収容シート（合紙）情報）と、ステップ５で設定した図８に示すＯＨＰ合紙入力画面情報（ジョブ番号に対する使用カセット等）とを対応づけて、
図９に示すジョブ番号に画像形成条件と使用カセット等を対応づけた給紙カセット画像形成条件テーブルを編成し、ＲＡＭ７２Ｂに記憶させる。
【０１３２】
ここで、制御手段７１は合紙を給紙するカセット等の各画像形成条件項目について、画像形成条件を得るために画像形成変更条件に基づき、画像形成形成条件を演算する。
【０１３３】
即ち、図８に図示したＯＨＰ合紙入力画面において、画像形成の必要性の有無が「有」となっていない場合の画像形成形成条件値は〔（画像形成形成条件値）＝（通常の記録紙の画像形成に対して用いられる画像形成条件値）＋（図５の画像形成変更条件値）〕の演算を行ない図９の画像形成条件を算出する。
【０１３４】
従って、画像形成変更条件値が０の項目は通常画像形成を行う画像形成条件が設定される。
【０１３５】
ステップ７  ジョブ番号１Ａの画像形成条件を設定する。
【０１３６】
このため、例えば制御装置７１は、ステップ６で編成した図９に示す給紙カセット画像形成条件テーブルを読み出し、
給紙カセット画像形成条件テーブルに応じて各機器（転写器４５の定電流電源４５０、転写補助手段４６のＬＥＤ電源４６０、分離手段の除電器４７の除電電極のＡＣ定電流電源４７０ＡとＤＣ定電流電源４７０Ｂ、分離爪５０のソレノイド等のドライバ５０１、搬送ローラ６１、６２、又タイミングローラ６３のモータコントローラ６０１等）にジョブ番号１Ａの画像形成条件値（転写器４５の転写電流：Ａ１１μＡ、転写補助手段の露光量Ｂ１１μＷ、分離手段の分離電流Ｃ１１μＡ、分離爪５０の当接力Ｄ１１ｇｆ、ＯＨＰシート搬送速度Ｅ１１ｍｍ／ｓ）に応じた画像形成条件を設定させ、ステップ８に歩進する。
【０１３７】
ステップ８  ＯＨＰシートを給紙する。
【０１３８】
このため例えば、制御装置７１は、図９に示す給紙カセット画像形成変更条件テーブルからジョブ番号１Ａに対応するＯＨＰシートを給紙する給紙カセット等を読み出し、読み出した給紙カセット等の送り出しローラを作動させてＯＨＰシートを給紙させ、ステップ９に歩進する。
【０１３９】
例えば図９の場合、手差し給紙手段を駆動する送り出しローラの下降手段のドライバ２６１を介しＯＨＰシートを給紙させる。
【０１４０】
ステップ９  第１Ａのジョブの第１頁目の画像データを第１枚目のＯＨＰシートに画像形成する。
【０１４１】
このため例えば、制御装置７１は、ステップ７で設定されたジョブ番号１Ａの画像形成条件データ（ＯＨＰシート搬送速度）情報に基づき、搬送ローラ６１、６２、又タイミングローラ６３を回転駆動させるためのパルスモータ６００のモータコントローラ６０１を介しＯＨＰシートを所定の速度で搬送させる。
【０１４２】
又、制御装置７１は、ステップ５で記憶させた第１Ａのジョブの原稿画像データの第１頁目を読み出し、画像書き込み手段４３に入力させ、画像書き込み手段４３は該データに基づき感光体ドラム上に潜像を形成し、ステップ７で設定された画像形成条件に基づいて所謂電子写真プロセスによりＯＨＰシートに画像形成を行ない、ステップ１０に歩進する。
【０１４３】
以上ステップ７〜９により第１枚目のＯＨＰシートに第１Ａのジョブの第１頁を画像形成する。
【０１４４】
ステップ１０  ステップ７と略同様にして、ジョブ番号２Ａの画像形成条件を設定する。
【０１４５】
このため例えば制御装置７１は、ステップ６で編成した図９に示す給紙カセット画像形成条件テーブルを読み出し、各機器にジョブ番号２Ａの画像形成条件値に応じた画像形成条件を設定させ、ステップ１１に歩進する。
【０１４６】
ステップ１１  ステップ８と略同様にして合紙を給紙する。
【０１４７】
このため例えば制御装置７１は、図９に示す給紙カセット画像形成条件テーブルからジョブ番号２Ａに対応する合紙を給紙する給紙カセット等を読み出し、読み出した給紙カセット等の送り出しローラを作動させてＯＨＰシートを給紙させ、ステップ１２に歩進する。
【０１４８】
例えば図９の場合、第１カセットを駆動する送り出しローラの下降手段のドライバ５４１を介し合紙となる記録紙を給紙させステップ１２に歩進する。
【０１４９】
ステップ１２  ステップ９と略同様にして所定の画像を合紙に画像形成する。
【０１５０】
通常は画像形成の必要性の有無が「有」となっていないため、画像書き込み手段４３に白紙データを入力させ、画像書き込み手段４３は白紙データに基づき感光体ドラム上に潜像を形成する。
【０１５１】
しかし、画像形成の必要性の有無が「有」となっている場合は、ステップ５で記憶させたジョブ番号２Ａの原稿画像データを読み出し、画像書き込み手段４３に入力させ、画像書き込み手段４３は該データに基づき感光体ドラム上に潜像を形成する。
【０１５２】
そして、例えば、制御装置７１は、ステップ１０で設定されたジョブ番号２Ａの画像形成条件データ（合紙搬送速度）情報に基づき、搬送ローラ６１、６２、又タイミングローラ６３を回転駆動させるためのパルスモータ６００のモータコントローラ６０１を介し合紙となる記録紙を所定の速度で搬送させ、
各機器（転写器４５の定電流電源４５０、分離手段の除電器４７の除電電極のＡＣ定電流電源４７０ＡとＤＣ定電流電源４７０Ｂ、分離爪５０のソレノイド等のドライバ５０１タコントローラ、等）に白紙データに適する各項目に応じたＡ１２〜Ｅ１２の所定の画像形成条件データを出力し、各機器に出力された画像形成条件値に基づいた画像形成条件を設定させる。
【０１５３】
これにより、「有」の場合は合紙に所定の画像形成を行い、「有」でない場合は合紙に白紙の画像形成を行ない、ステップ１３に歩進する。
【０１５４】
以上ステップ１０〜１２により第１枚目のＯＨＰシートの次に第１枚目の合紙を挿入する。
【０１５５】
ステップ１３  ジョブ番号３の画像形成条件を設定する。
【０１５６】
このため、例えば制御装置７１は、ステップ７と同様にして、通常ＯＨＰシートの画像形成に対して用いられる画像形成条件データ（ジョブ番号３Ａの給紙カセット等に対する画像形成条件値）を読み出し、各機器に読み出したジョブ番号３の画像形成条件値に基づいた画像形成条件を設定させ、ステップ１４に歩進する。
【０１５７】
ステップ１４  ＯＨＰシートを給紙する。
【０１５８】
このため、例えば制御装置７１は、ステップ８と同様にして、第２枚目のＯＨＰシートを給紙させ、ステップ１５に歩進する。
【０１５９】
ステップ１５  ジョブ番号３Ａの画像データであるところの第１のジョブの第２頁目の画像データを第２枚目のＯＨＰシートに画像形成する。
【０１６０】
このため、例えば制御装置７１は、ステップ９と同様にして、ステップ５で記憶された第１Ａのジョブの第２頁目を読み出し、第２頁目の画像データに基づきステップ１３で設定されたジョブ番号３Ａの画像形成条件値に応じた画像形成条件下で所謂電子写真プロセスによりＯＨＰシートに画像形成を行ない、ステップ１６に歩進する。
【０１６１】
以上ステップ１３〜１５により第２枚目のＯＨＰシートに第１Ａのジョブの第２頁を画像形成する。
【０１６２】
ステップ１６  ジョブ番号４Ａ（第２枚目の合紙）の画像形成条件を設定する。
【０１６３】
このため、制御装置７１は、ステップ１０と同様にして、
ジョブ番号４Ａの画像形成条件を設定する。
【０１６４】
このため例えば制御装置７１は、ステップ６で編成した図９に示す給紙カセット画像形成条件テーブルを読み出し、各機器にジョブ番号４Ａの画像形成条件値に応じた画像形成条件を設定させ、ステップ１７に歩進する。
【０１６５】
ステップ１７  合紙を給紙する。
ステップ１１と略同様にして合紙を給紙する。
【０１６６】
このため例えば制御装置７１は、図９に示す給紙カセット画像形成条件テーブルからジョブ番号４Ａに対応する合紙を給紙する給紙カセット等を読み出し、読み出した給紙カセット等の送り出しローラを作動させてＯＨＰシートを給紙させ、ステップ１８に歩進する。
【０１６７】
ステップ１８  ジョブ番号４Ａの画像を合紙に画像形成する。
【０１６８】
このため、制御装置７１は、ステップ１２と同様にして、
通常は画像書き込み手段４３に白紙データを入力させ、画像書き込み手段４３は白紙データに基づき感光体ドラム上に潜像を形成する。
画像形成の必要性の有無が「有」となっている場合は、ジョブ番号２Ａの原稿画像データを読み出して所謂電子写真プロセスにより合紙に画像形成を行なう。
【０１６９】
以上ステップ１６〜１８により第２枚目のＯＨＰシート（ジョブ番号３）の次に第２枚目の合紙（ジョブ番号４）を挿入する。
【０１７０】
ステップ１９  第１Ａのジョブの第１部目の完成
このため、例えば制御装置７１は、ステップ５で読み込んだ第１Ａのジョブの第３枚目以降（ジョブ番号５以降）から最終頁を処理しきるまで（第１Ａのジョブの画像データを全て処理するまで）、ＯＨＰシートと合紙についてステップ７〜９とステップ１０〜１２を繰り返し、ステップ２０に歩進する。
【０１７１】
以上ステップ１９により、ＯＨＰシート間に合紙が挿入された第１Ａのジョブの第３頁目以降最終頁までのジョブの画像形成が完成する。
【０１７２】
ステップ２０  第１Ａのジョブの所定部数の処理。
【０１７３】
このため、例えば制御装置７１は、最終ページの処理が完了すると、ステップ５で記憶した部数を読み出し、設定された部数分ステップ７〜１９を繰り返しステップ２１に歩進する。
【０１７４】
以上ステップ２０によりジョブ番号１Ａの所定部数が完成する。
【０１７５】
ステップ２１  第２Ａのジョブの画像形成。
【０１７６】
このため、例えば制御装置７１は、ステップ７〜２０と同様な処理を繰り返し、所定部数の第２Ａのジョブを画像形成し、ステップ２２に歩進する。
【０１７７】
ステップ２２  第ｎまでのジョブの画像形成。
【０１７８】
このため、例えば制御装置７１は、ステップ７〜２０と同様な処理を（ｎ−２）回繰り返し、第３Ａのジョブ〜第ｎＡのジョブを所定部数づつ画像形成しエンドに歩進する。
【０１７９】
次に、図１、２及び図１０、１１、１２を参照して通常画像形成を行うジョブ間に合紙を挿入する制御方法の説明を行う。
【０１８０】
ここでは、ＯＨＰシートに対する合紙の挿入と似ているので異なる部分を中心に、同じ部分は概要について説明する。
【０１８１】
又、別の方法として、ＯＨＰシートに対する画像データによるＯＨＰシートの画像形成と合紙に対する白紙データによる合紙の画像形成とをそれぞれ１のジョブとして捉え、
ＯＨＰシートへの画像データの各頁毎の画像データ間に前記合紙への白紙データを割り込ませるようにして、ＯＨＰシートへの画像データと合紙への白紙データとを交互に結合し、
交互に結合されたデータに基づき、ＯＨＰシート各頁の画像形成間に合紙の画像形成を行うジョブを連続して一括に実行するようにしても良い。
【０１８２】
図１３は各ジョブ間に合紙を挿入する合紙入力画面の説明図である。
【０１８３】
図１４は記憶手段内に編成される給紙カセット画像形成条件テーブルの説明図である。
【０１８４】
ステップ２３  制御装置７１は、図７の応用画面の合紙スイッチ１００２を監視して合紙スイッチがＯＮであれば、応用機能が合紙機能と判断して（Ｙ）ステップ２４に歩進し、ＯＦＦであれば（Ｎ）エンドにジャンプする。
【０１８５】
ステップ２４  制御装置７１は、表示されたＯＨＰ合紙スイッチ１００１がＯＮされることにより図１３の合紙入力画面に切り替える。
【０１８６】
そして１枚以上の原稿で構成された各ジョブに対応する記録紙と合紙とを、給紙カセット等のいずれから給紙させれば良いか、各ジョブで使用する給紙カセット等と、画像形成条件と、画像データ等とを対応づけて再編成させ、ステップ２５に歩進する。
【０１８７】
各ジョブで使用する給紙カセット等の設定は、表示手段に表示される図１３に図示したような合紙入力画面により、各ジョブに対応する、給紙カセット等と、画像形成の必要性の有無と、当該ジョブのプリント部数とが入力され、入力された情報がＲＡＭ７２Ｂに記憶される。
【０１８８】
ここで、画像形成を行う各ジョブ間に挿入する合紙も１つのジョブとして設定する。
【０１８９】
そして、１つのジョブと１枚の合紙の単位で、画像形成する記録紙を収容した給紙カセット等と合紙を収容した給紙カセット等とから、当該のシートが交互に給紙されるように設定される。
【０１９０】
具体的には例えば図１３の合紙入力画面において、
１）ジョブ番号１Ｂに、第１Ｂのジョブの原稿に対応する記録紙収容カセットが設定される。
【０１９１】
ａ、ジョブ番号１Ｂに対する給紙カセット等がオペレータにより給紙カセット名から設定される。
【０１９２】
ｂ、「カセット内容」スイッチの操作により図６のカセット表示画面を表示する。
【０１９３】
ｃ、ジョブ番号１Ｂへの画像形成可否がオペレータにより設定される。
【０１９４】
ｄ、ジョブ番号１Ｂの画像形成部数がオペレータにより設定される。
【０１９５】
ｅ、「設定」がＯＮされると「第１のジョブの原稿を読み込ませてください」といったメッセージを表示させる。
【０１９６】
第１Ｂのジョブの原稿が読み込まれると原稿画像データがＲＡＭ７２Ｂに記憶される。
【０１９７】
ｆ、そして、制御手段は読み取られた原稿画像データをジョブ番号１Ｂの画像データとして設定する。
【０１９８】
２）次いで、ジョブ番号２Ｂに、記録紙に画像を形成するジョブ番号１Ｂとジョブ番号３Ｂ間に挿入する合紙の設定が行われる。
【０１９９】
ａ、ジョブ番号２Ｂに対する給紙カセット等がオペレータにより給紙カセット名から設定される。
【０２００】
ｂ、「カセット内容」スイッチの操作により図６のカセット表示画面を表示する。
【０２０１】
ｃ、通常、合紙は白紙の画像データが自動的に設定され、制御手段は白紙のデータをジョブ番号２Ｂのジョブの画像データとして設定する。
【０２０２】
しかし、ジョブ番号２Ｂのジョブ（合紙）が画像形成を行うか否かが「有」に設定されると、ジョブ番号２Ｂのジョブ（合紙）の画像形成時に画像形成を行うことを可能とする。
【０２０３】
ｄ、合紙部数は自動的に１が設定される。
【０２０４】
ｅ、「設定」がＯＮされると「合紙の原稿を読み込ませてください」といったメッセージを表示させる。
【０２０５】
ｆ、そして、制御手段は読み取られた原稿画像データをジョブ番号２Ｂの画像データとして設定する。
【０２０６】
３）次いで、ジョブ番号３Ｂに、第３Ｂのジョブに対応する記録紙収容カセットが設定される。
【０２０７】
ａ、ジョブ番号３Ｂに対する給紙カセット等がオペレータにより給紙カセット名から設定される。
【０２０８】
ｂ、「カセット内容」スイッチの操作により図６のカセット表示画面を表示する。
【０２０９】
ｃ、ジョブ番号３Ｂへの画像形成可否がオペレータにより設定される。
【０２１０】
ｄ、ジョブ番号３Ｂの画像形成部数がオペレータにより設定される。
【０２１１】
ｅ、「設定」がＯＮされると第２番目の原稿であるところの「第２のジョブの原稿を読み込ませてください」といったメッセージを表示させる。
【０２１２】
第２Ｂのジョブの原稿が読み込まれると原稿画像データがＲＡＭ７２Ｂに記憶される。
【０２１３】
ｆ、そして、制御手段は読み取られた原稿画像データをジョブ番号３Ｂの画像データとして設定する。
【０２１４】
４）次いで、ジョブ番号４Ｂに、記録紙に画像を形成するジョブ番号３Ｂとジョブ番号５Ｂ間に挿入する合紙の設定が行われる。
【０２１５】
ａ、ジョブ番号４Ｂに対する給紙カセット等がオペレータにより給紙カセット名から設定される。
【０２１６】
ｂ、「カセット内容」スイッチの操作により図６のカセット表示画面を表示する。
【０２１７】
ｃ、通常は合紙は白紙の画像データが自動的に設定され、制御手段は白紙のデータをジョブ番号４Ｂのジョブの画像データとして設定する。
【０２１８】
しかし、ジョブ番号４Ｂのジョブ（合紙）が画像形成を行うか否かが「有」に設定されると、ジョブ番号４Ｂのジョブ（合紙）の画像形成時に画像形成を行うことを可能とする。
【０２１９】
ｄ、合紙部数は自動的に１が設定される。
【０２２０】
ｅ、「設定」がＯＮされると「合紙の原稿を読み込ませてください」といったメッセージを表示させる。
【０２２１】
ｆ、そして、制御手段は読み取られた原稿画像データをジョブ番号４Ｂの画像データとして設定する。
【０２２２】
５）以下同様にして、記録紙に画像形成するジョブと合紙に画像形成するジョブとを、順次ジョブ番号５、６、７、・・・・として設定していく。
【０２２３】
これにより、複数のジョブ間に合紙を挿入する設定を完了する。
【０２２４】
ステップ２５  各ジョブ番号に対する使用カセット等及び画像データを設定する。
【０２２５】
このため、制御装置７１は、ステップ６と略同様な方法で、ステップ１で記憶されている、図５に示す画像形成条件変更テーブル情報と、ステップ２で記憶されている図６に示すカセット内容入力画面情報と、ステップ２４で設定した図１３に示す合紙入力画面情報とを対応づけて、図１４に示すジョブ番号に画像形成条件と使用カセット等を対応づけた給紙カセット画像形成条件テーブルを編成し、ＲＡＭ７２Ｂに記憶させる。
【０２２６】
ここで、制御手段７１は合紙を給紙するカセット等の各画像形成条件項目について、画像形成条件を得るために画像形成変更条件に基づき、画像形成形成条件を演算する。
【０２２７】
即ち、図１３に図示した合紙入力画面において、画像形成の必要性の有無が「有」となっていない場合の画像形成形成条件値は〔（画像形成形成条件値）＝（通常の記録紙の画像形成に対して用いられる画像形成条件値）＋（図５の画像形成変更条件値）〕の演算を行ない図１３の画像形成条件を算出する。
【０２２８】
ステップ２６  ジョブ番号１Ｂ（第１Ｂのジョブの原稿の画像データに対する画像形成）の画像形成条件を設定する。
【０２２９】
このため、制御装置７１は、例えばステップ７と略同様な方法で、ＲＯＭ７２Ａに記憶されている図１４に示す給紙カセット画像条件テーブルを読み出し、各機器にジョブ番号１Ｂの画像形成条件値に応じた画像形成条件を設定させステップ２７に歩進する。
【０２３０】
ステップ２７  記録紙を給紙する。
【０２３１】
このため、制御装置７１は、図５に示す給紙カセット画像形成変更条件テーブルを読み出し、ジョブ１Ｂに対応する使用カセット情報に基づき、画像形成シートを給紙する給紙カセット等として（送り出しローラの下降手段のドライバ５４１、５５１、５６１、２６１の内）使用カセット情報に合致した給紙カセット等のドライバを介し画像形成シートを給紙させステップ２８に歩進する。
【０２３２】
ステップ２８  ジョブ番号１Ｂの画像データの画像形成を行う。
【０２３３】
ジョブ番号１Ｂの全頁（第１Ｂのジョブ）の画像データを、給紙される記録紙に順次画像形成する。
【０２３４】
このため、制御装置７１は、ステップ２５で記憶されたジョブ番号１Ｂの画像形成条件データ（記録紙搬送速度）に基づき、記録紙を所定の速度で搬送する。
【０２３５】
また、制御手段はステップ２４で記憶されたジョブ番号１Ｂを読み出し、ステップ２６で記憶された画像形成条件に基づいて全頁の画像形成を行い、ステップ２９に歩進する。
【０２３６】
ステップ２９  ステップ２６と略同様にしてジョブ番号２Ｂ（第１枚目の合紙）の画像形成条件を設定する。
【０２３７】
このため、例えば制御装置７１は、ステップ２５で編成した図１３に示す給紙カセット画像形成変更条件テーブルを読み出し、各機器にジョブ番号２Ｂの画像形成条件値に応じた画像形成条件を設定させ、ステップ３０に歩進する。
【０２３８】
ステップ３０  ステップ２７と略同様にして合紙を給紙する。
【０２３９】
このため例えば制御装置７１は、図１３に示す給紙カセット画像形成条件テーブルからジョブ番号２Ｂに対応する合紙を給紙する給紙カセット等を読み出し、読み出した給紙カセット等の送り出しローラを作動させて合紙を給紙させ、ステップ３１に歩進する。
【０２４０】
ステップ３１  ステップ２８と略同様にして所定の画像を合紙に画像形成する。
【０２４１】
通常は画像形成の必要性の有無が「有」となっていないため、画像書き込み手段４３に白紙データを入力させ、画像書き込み手段４３は白紙データに基づき感光体ドラム上に潜像を形成する。
【０２４２】
しかし、画像形成の必要性の有無が「有」となっている場合は、ステップ５で記憶させたジョブ番号２Ｂの原稿画像データを読み出し、画像書き込み手段４３に入力させ、画像書き込み手段４３は該データに基づき感光体ドラム上に潜像を形成する。
【０２４３】
ここで、例えば、制御装置７１は、ステップ２９で設定された図１３に示す給紙カセット画像形成変更条件テーブル内容に応じてジョブ番号２Ｂの画像形成条件データ情報に基づき、合紙となる記録紙を所定の速度で搬送させ、各機器に白紙データに適する各項目に応じた所定の画像形成条件値を出力し、各機器に出力された画像形成条件値に基づいた画像形成条件を設定させる。
【０２４４】
これにより、「有」の場合は合紙に所定の画像形成を行い、「有」でない場合は合紙に白紙の画像形成を行ない、ステップ３２に歩進する。
【０２４５】
以上、ステップ２９〜３１によりジョブ番号１の記録紙群の次に第１枚目の合紙を挿入する。
【０２４６】
ステップ３２  ジョブ番号ｎＢの完成。
【０２４７】
このため、例えば制御装置７１は、記録紙と合紙についてステップ２６〜３１を（ｎ−１）回繰り返しステップ３３に歩進する。
【０２４８】
以上、各ジョブ間に合紙が挿入されたジョブ番号１〜ｎまでが、１式画像形成される。
【０２４９】
ステップ３３  ｎ部数の完成。
【０２５０】
このため、例えば制御装置７１は、ステップ２６〜３２までを更にｎサイクル繰り返しエンドに歩進する。
【０２５１】
以上、各ジョブ間に合紙が挿入されたジョブ番号１〜ｎまでが、ｎ部画像形成される。
【０２５２】
説明を分かりやすくするためモノクロの画像形成装置により説明してきたが、本発明は所謂タンデム型等のカラー画像形成装置にも応用できることは言うまでもない。
【０２５３】
以上説明したように、本発明により多数頁の複数の原稿をそれぞれ複数印刷する場合に、間違いがなく、効率的に合紙挿入ができ、合紙に白紙を用いてもジャムや分離不良を発生せず、カブリのない合紙の挿入を可能とし、更にＯＨＰシート間の合紙に白紙を用いてもジャムや分離不良を発生せず、カブリのない合紙の挿入を可能とした画像形成装置の提供を可能にするという効果を奏することができる。
【実施例】
【０２５４】
図１５は転写電流、分離ＤＣ電流を変化させた場合のテスト条件の説明図である。
【０２５５】
図１６は分離爪当接圧、搬送速度を変化させた場合のテスト条件の説明図である。
【０２５６】
図１７は転写電流、分離ＤＣ電流、転写補助露光量、分離爪当接圧、を変化させた場合のテスト条件の説明図である。
【０２５７】
先ず、図１５、１６を参照して、画像を形成する各ジョブ間に白紙画像の合紙を挿入する場合を想定し、図に示した画像形成条件下で画像形成し、合紙の搬送異常及び品質異常の発生状態について評価を行ったので説明する。
【０２５８】
１）図１５に示す画像形成条件において、画像形成する記録紙、合紙、共に６４ｇ／ｍ2の上質紙を用い、合紙に白紙画像を画像形成する場合、図示の転写電流、分離ＤＣ電流のみ（分離ＡＣ電流は２５０μＡ，５００Ｈｚ）変化させた。
【０２５９】
その結果、画像形成する記録紙５枚、白紙画像の合紙１枚を一組として、計１００００組画像形成を行ったが、合紙に上記異常の発生はなかった。
【０２６０】
２）図１６に示す画像形成条件において、画像形成する記録紙、合紙、共に６４ｇ／ｍ2の上質紙を用い、合紙に白紙画像を画像形成する場合、図示の分離爪当接圧、搬送速度のみを変化させた。
【０２６１】
その結果、画像形成する記録紙５枚、白紙画像の合紙１枚を一組として、計１００００組画像形成を行ったが、合紙に上記異常の発生はなかった。
【０２６２】
次に、図１７を参照して画像を形成する１枚毎のＯＨＰシート間に白紙画像の合紙を挿入する場合を想定し、図に示した画像形成条件下で画像形成し、合紙の搬送異常及び品質異常の発生状態についてテストを行ったので説明する。
【０２６３】
１）図１７に示す画像形成条件において、画像形成するＯＨＰシートはその代用として普通紙を、白紙画像の合紙は６４ｇ／ｍ2の上質紙を用い、
合紙に白紙画像を画像形成する場合に図示の転写電流、分離ＤＣ電流、転写補助露光量、分離爪当接圧を変化させた。
【０２６４】
その結果、画像形成する記録紙５枚、白紙画像の合紙１枚を一組として、計１００００組画像形成を行ったが、合紙に上記異常の発生はなかった。
【０２６５】
また、以上のテストの比較テストとして、白紙の画像形成を行う場合（合紙）に画像形成を行う場合と同様の画像形成条件を設定して画像形成を行うと、合紙の分離不良が発生することを確認した。
【０２６６】
また、白紙の画像形成を行う場合（合紙）に、転写電圧を印加しないで画像形成を行うと、合紙にカブリが発生することを確認した。
【図面の簡単な説明】
【０２６７】
【図１】画像形成装置の説明図である。
【図２】転写手段と分離手段等に係るブロック図である。
【図３】操作手段の説明図である。
【図４】電源投入時に表示手段に表示される、基本画面の説明図である。
【図５】画像形成を行う記録紙に対し、合紙として使用する記録紙の変更すべき画像形成条件を記した、画像形成条件変更テーブルの説明図である。
【図６】各給紙カセット等に収容されているシートの情報を入力するカセット内容入力画面、兼、各給紙カセット等に収容されているシートの情報を表示するカセット内容表示画面の説明図である。
【図７】応用画面の説明図である。
【図８】ＯＨＰシート間に合紙を挿入するＯＨＰ合紙入力画面の説明図である。
【図９】記憶手段内に編成される給紙カセット画像形成条件テーブルの説明図である。
【図１０】シートに合紙を挿入する画像形成装置の制御方法のフロー図である。
【図１１】シートに合紙を挿入する画像形成装置の制御方法のフロー図である。
【図１２】シートに合紙を挿入する画像形成装置の制御方法のフロー図である。
【図１３】各ジョブ間に合紙を挿入する合紙入力画面の説明図である。
【図１４】記憶手段内に編成される給紙カセット画像形成条件テーブルの説明図である。
【図１５】転写電流、分離ＤＣ電流を変化させた場合のテストの変更値の説明図である。
【図１６】分離爪当接圧、搬送速度を変化させた場合のテストの変更値の説明図である。
【図１７】転写電流、分離ＤＣ電流、転写補助露光量、分離爪当接圧、を変化させた場合のテストの変更値の説明図である。
【符号の説明】
【０２６８】
１  画像形成手段
３  画像読取手段
１０  操作手段
２６  手差し給紙手段
５１、５２、５３  給紙カセット
４３  画像書込手段
４５  転写器
４６  転写補助手段
４７  除電器（分離手段）
５０  分離爪
７１  制御手段
７２  記憶手段
１０２  表示手段
Ｇ  原稿
Ｐ１、Ｐ２、Ｐ３、Ｐ４  シート
【図１】
2005106921.tif 000003
【図２】
2005106921.tif 000004
【図３】
2005106921.tif 000005
【図４】
2005106921.tif 000006
【図５】
2005106921.tif 000007
【図６】
2005106921.tif 000008
【図７】
2005106921.tif 000009
【図８】
2005106921.tif 000010
【図９】
2005106921.tif 000011
【図１０】
2005106921.tif 000012
【図１１】
2005106921.tif 000013
【図１２】
2005106921.tif 000014
【図１３】
2005106921.tif 000015
【図１４】
2005106921.tif 000016
【図１５】
2005106921.tif 000017
【図１６】
2005106921.tif 000018
【図１７】
2005106921.tif 000019